(57)【特許請求の範囲】
【請求項１】
製本された冊子の表紙または本文頁を捲って印刷を施す時などに使用される冊子の頁捲り方法であって、
前記冊子を、該冊子の表表紙あるいは裏表紙の一方を下方に向け、かつ背を送り方向に向けた状態で冊子載置部上の所定位置へ移送する第１の工程と、前記の移送された冊子の表表紙あるいは裏表紙の他方または本文頁を枚葉毎に捲って前記冊子載置部上に平面状に展開する第２の工程とを有し、
該第２の工程は、
（イ）前記冊子の背に平行させた冊子位置決め兼頁ずらしローラーを、該冊子位置決め兼頁ずらしローラと接する表紙または本文頁が小口から背方向に移動される方向に回転させながら冊子に接触させ、表紙または本文頁を残本文頁から分離させる工程、
（ロ）この冊子位置決め兼頁ずらしローラに対して上方かつ冊子の背方向に位置した頁捲りローラーを表紙または本文頁が小口から背方向に移動される方向に回転させ、表紙または本文頁を該頁捲りローラーの下方から上方に移行させる工程、
（ハ）頁捲りローラーの上方に位置した表紙または本文頁を冊子載置部上に平面状に展開する工程、
以上の（イ）〜（ハ）を具備することを特徴とする冊子の頁捲り方法。
【請求項２】
前記第２の工程は、表紙または本文頁に隣接する残本文頁が回転中の頁捲りローラーとの接触により捲られることを防止するため、さらに、前記冊子の捲られた表紙または本文頁が該頁捲りローラーの上方へ移行される時、該冊子位置決め兼頁ずらしローラーを、前記冊子の表紙または本文頁に隣接する残本文頁が背から小口方向に移動される方向に回転させる工程、
を有することを特徴とする請求項１に記載の冊子の頁捲り方法。
【請求項３】
前記冊子位置決め兼頁ずらしローラーを、前記冊子の表紙または本文頁が背から小口方向に移動される方向に回転させることで、表紙または本文頁を冊子載置部上に平面状に展開、いわゆる見開き状態とする際に、前記見開き状態における冊子の小口を冊子小口側基準にて位置決めする工程を、さらに備えることを特徴とする請求項２に記載の冊子の頁捲り方法。
【請求項４】
製本された冊子の表紙または本文頁を捲つて印刷を施す際などに使用される冊子の頁捲り装置であって、
（ニ）前記冊子が、表表紙あるいは裏表紙の一方を下方に向け、かつ背を送り方向に向けた状態で載置される冊子収納部と、冊子背側基準または冊子小口側基準にて冊子を位置決
めする冊子載置部と、前記の移送された冊子の表表紙あるいは裏表紙の他方または本文頁を枚葉毎に捲って前記冊子載置部上に平面状に展開する頁捲り手段を備え、
（ホ）該頁捲り手段は、前記冊子の背に平行して配置された冊子位置決め兼頁ずらしローラーと、この冊子位置決め兼頁ずらしローラに対して平行で、かつ上方、かつ冊子の背方向に位置した頁捲りローラー、前記頁捲りローラーの上方に移動した冊子の表紙または裏表紙または本文頁を、冊子載置部上に展開する頁開きアーム、該頁開きローラーを回転させるローラー駆動手段、および該頁開きアームを傾倒させるアーム駆動手段を備え、
（ヘ）該ローラー駆動手段は、前記冊子位置決め兼頁ずらしローラを、それと接する表紙または本文頁が小口から背方向に移動される方向に回転させながら冊子に接触させ、表紙または本文頁を残本文頁より分離させ、さらに頁捲りローラーを表紙または本文頁が小口から背方向に移動される方向に回転させることにより、表紙または本文頁を該頁捲りローラーの下方から上方に移行させるように構成されており、
（ト）前記アーム駆動手段は、頁捲りローラーの上方に位置した表紙または本文頁を冊子載置部上に平面状に展開するよう構成されていること、
以上の（ニ）乃至（ト）を全て具備することを特徴とする冊子の頁捲り装置。
【請求項５】
前記ローラー駆動手段は、さらに、頁捲りローラー回転中、冊子位置決め兼頁ずらしローラーを、冊子の表紙または本文頁を背から小口方向に移動される方向に回転させ、表紙または本文頁に隣接する残本文頁が該頁捲りローラーと非接触状態となるよう、残頁を押さえ込む機構を有することを特徴とする請求項４に記載の冊子の頁捲り装置。
【請求項６】
前記ローラー駆動手段は、冊子位置決め兼頁ずらしローラーを、冊子の表紙または本文頁を背から小口方向に移動される方向に回転させることで、表紙または本文頁を冊子載置部上に平面状に展開、いわゆる見開き状態における冊子の小口を冊子小口側基準にて位置決めする機構をさらに備えることを特徴とする請求項４または５に記載の冊子の頁捲り装置。
【請求項７】
前記ローラー駆動手段は、冊子位置決め兼頁ずらしローラーを、冊子の表紙または本文頁を背から小口方向に移動可能な方向に回転させることで、冊子収納部から冊子分離手段によって冊子載置部方向に移動した冊子を、表紙または本文頁を冊子載置部上に平面状に展開した状態、いわゆる見開き状態における冊子の小口を冊子背側基準位置まで搬送するする機構をさらに備えることを特徴とする請求項４乃至６に記載の冊子の頁捲り装置。
【請求項８】
前記冊子載置部は前記冊子の背と系合する事により該冊子を冊子載置部上の冊子背側基準に位置決めする揺動可能なストッパを有し、前記ストッパは冊子載置部から突出する方向に付勢されていることを特徴とする請求項４乃至７のいずれかに記載の冊子の頁捲り装置。
【請求項９】
前記冊子載置部は、前記冊子の小口と系合する事により該冊子を冊子載置部上の冊子小口側基準にて位置決めする揺動可能な冊子位置決め板を有し、前記冊子位置決め板は冊子載置部から突出する方向に付勢されていることを特徴とする請求項４乃至８のいずれかに記載の冊子の頁捲り装置。
【請求項１０】
前記冊子を１冊ずつ前記冊子載置部上へ移送する冊子分離手段も備えることを特徴とする請求項４乃至９のいずれかに記載の冊子の頁捲り装置。
【請求項１１】
前記冊子分離手段は、前記冊子収納部の下部または上部に配設され、前記冊子収納部に収納された最下層または最上層に位置する冊子の小口に係合して該冊子を前記冊子載置部側へ押し出す冊子分離ツメを有することを特徴とする請求項１０に記載の冊子の頁捲り装置。
【発明の詳細な説明】
【０００１】
【発明の属する技術分野】
本発明は、冊子の頁捲り方法及びその装置にかかり、更に詳しくは、例えば並製本された冊子の所定の紙葉に印刷を施す時に、冊子をプリンタの所定の場所に自動的に給送してセットし、この冊子の表紙及び本文頁を自動的に捲ることができるようにした冊子の頁捲り方法及びその装置に関するものである。
【０００２】
【従来の技術】
従来、例えば、パンフレット等に相当する冊子の所定の紙葉に印刷を施す場合は、冊子を手作業によりプリンタの所定の箇所にセットし、しかる後、手作業により表紙を開いたり、本文頁を捲ることで所定の紙葉に必要な印刷をプリンタで施すようにしていた。
【０００３】
しかしながら、上記のような従来における冊子の捲り方式では、冊子の給送から表紙及び本文頁の捲り操作を全て手作業で行っているため、冊子のセット及び捲り作業が煩雑になり、その作業効率も低いほか、熟練を要するという問題があった。
【０００４】
【発明が解決しようとする課題】
本発明は上記の事情に鑑みなされたものであり、冊子載置部にセットされた冊子の表紙または本文頁の捲りを自動化することにより、煩雑な手作業をなくし、効率のよい正確な冊子の頁捲りを可能にした冊子の頁捲り方法及び頁捲り装置を提供することを目的とする。
【０００５】
【課題を解決するための手段】
前記課題を解決するために請求項１に示す発明は、
製本された冊子の表紙または本文頁を捲って印刷を施す時などに使用される冊子の頁捲り方法であって、
前記冊子を、該冊子の表表紙あるいは裏表紙の一方を下方に向け、かつ背を送り方向に向けた状態で冊子載置部上の所定位置へ移送する第１の工程と、前記の移送された冊子の表表紙あるいは裏表紙の他方または本文頁を枚葉毎に捲って前記冊子載置部上に平面状に展開する第２の工程とを有し、
該第２の工程は、
（イ）前記冊子の背に平行させた冊子位置決め兼頁ずらしローラーを、該冊子位置決め兼頁ずらしローラと接する表紙または本文頁が小口から背方向に移動される方向に回転させながら冊子に接触させ、表紙または本文頁を残本文頁から分離させる工程、
（ロ）この冊子位置決め兼頁ずらしローラに対して上方かつ冊子の背方向に位置した頁捲りローラーを表紙または本文頁が小口から背方向に移動される方向に回転させ、表紙または本文頁を該頁捲りローラーの下方から上方に移行させる工程、
（ハ）頁捲りローラーの上方に位置した表紙または本文頁を冊子載置部上に平面状に展開する工程、
以上の（イ）〜（ハ）を具備することを特徴とする冊子の頁捲り方法である。
【０００６】
請求項２に示す発明は、請求項１の冊子の頁捲り方法を基本として、特に、前記第２の工程は、表紙または本文頁に隣接する残本文頁が回転中の頁捲りローラーとの接触により捲られることを防止するため、さらに、前記冊子の捲られた表紙または本文頁が該頁捲りローラーの上方へ移行される時、該冊子位置決め兼頁ずらしローラーを、前記冊子の表紙または本文頁に隣接する残本文頁が背から小口方向に移動される方向に回転させる工程、を有することを特徴とする請求項１に記載の冊子の頁捲り方法である。
【０００７】
請求項３に示す発明は、請求項２の頁捲り方法を基本として、特に、前記冊子位置決め兼頁ずらしローラーを、前記冊子の表紙または本文頁が背から小口方向に移動される方向に回転させることで、表紙または本文頁を冊子載置部上に平面状に展開、いわゆる見開き状態とする際に、前記見開き状態における冊子の小口を冊子小口側基準にて位置決めする工程を、さらに備えることを特徴とする請求項２に記載の冊子の頁捲り方法である。
【０００８】
また、請求項４に示す発明は、製本された冊子の表紙または本文頁を捲つて印刷を施す際などに使用される冊子の頁捲り装置であって、
（ニ）前記冊子が、表表紙あるいは裏表紙の一方を下方に向け、かつ背を送り方向に向けた状態で載置される冊子収納部と、冊子背側基準または冊子小口側基準にて冊子を位置決めする冊子載置部と、前記の移送された冊子の表表紙あるいは裏表紙の他方または本文頁を枚葉毎に捲って前記冊子載置部上に平面状に展開する頁捲り手段を備え、
（ホ）該頁捲り手段は、前記冊子の背に平行して配置された冊子位置決め兼頁ずらしローラーと、この冊子位置決め兼頁ずらしローラに対して平行で、かつ上方、かつ冊子の背方向に位置した頁捲りローラーと前記頁捲りローラーの上方に移動した冊子の表紙または裏表紙または本文頁を、冊子載置部上に展開する頁開きアーム、該頁開きローラーを回転させるローラー駆動手段、および該頁開きアームを傾倒させるアーム駆動手段を備え、
（ヘ）該ローラー駆動手段は、前記冊子位置決め兼頁ずらしローラを、それと接する表紙または本文頁が小口から背方向に移動される方向に回転させながら冊子に接触させ、表紙または本文頁を残本文頁より分離させ、さらに頁捲りローラーを表紙または本文頁が小口から背方向に移動される方向に回転させることにより、表紙または本文頁を該頁捲りローラーの下方から上方に移行させるように構成されており、
（ト）前記アーム駆動手段は、頁捲りローラーの上方に位置した表紙または本文頁を冊子載置部上に平面状に展開するよう構成されていること、
以上の（ニ）乃至（ト）を全て具備することを特徴とする冊子の頁捲り装置である。
【００１０】
請求項５に示す発明は、請求項４の冊子の頁捲り装置であって、特に、前記ローラー駆動手段は、さらに、頁捲りローラー回転中、冊子位置決め兼頁ずらしローラーを、冊子の表紙または本文頁を背から小口方向に移動される方向に回転させ、表紙または本文頁に隣接する残本文頁が該頁捲りローラーと非接触状態となるよう、残頁を押さえ込む機構を有することを特徴とする請求項４に記載の冊子の頁捲り装置である。
【００１１】
請求項６に示す発明は、請求項４又は５のいずれかの冊子の頁捲り装置であって、特に
、前記ローラー駆動手段は、冊子位置決め兼頁ずらしローラーを、冊子の表紙または本文頁を背から小口方向に移動される方向に回転させることで、表紙または本文頁を冊子載置部上に平面状に展開、いわゆる見開き状態における冊子の小口を冊子小口側基準にて位置決めする機構をさらに備えることを特徴とする請求項４又は５に記載の冊子の頁捲り装置である。
【００１２】
請求項７に示す発明は、請求項４乃至６のいずれかの冊子の頁捲り装置であって、特に、前記ローラー駆動手段は、冊子位置決め兼頁ずらしローラーを、冊子の表紙または本文頁を背から小口方向に移動可能な方向に回転させることで、冊子収納部から冊子分離手段によって冊子載置部方向に移動した冊子を、表紙または本文頁を冊子載置部上に平面状に展開した状態、いわゆる見開き状態における冊子の小口を冊子背側基準位置まで搬送するする機構をさらに備えることを特徴とする請求項４乃至６のいずれかに記載の冊子の頁捲り装置である。
【００１３】
請求項８に示す発明は、請求項４乃至７のいずれかの冊子の頁捲り装置であって、特に、前記冊子載置部は前記冊子の背と系合する事により該冊子を冊子載置部上の冊子背側基準に位置決めする揺動可能なストッパを有し、前記ストッパは冊子載置部から突出する方向に付勢されていることを特徴とする請求項４乃至７のいずれかに記載の冊子の頁捲り装置である。
【００１４】
請求項９に示す発明は、請求項４乃至８のいずれかの冊子の頁捲り装置であって、特に、前記冊子載置部は、前記冊子の小口と系合する事により該冊子を冊子載置部上の冊子小口側基準にて位置決めする揺動可能な冊子位置決め板を有し、前記冊子位置決め板は冊子載置部から突出する方向に付勢されていることを特徴とする請求項４乃至８のいずれかに記載の冊子の頁捲り装置である。
【００１５】
請求項１０に示す発明は、請求項４乃至９のいずれかの冊子の頁捲り装置であって、特に、前記冊子を１冊ずつ前記冊子載置部上へ移送する冊子分離手段も備えることを特徴とする請求項４乃至９のいずれかに記載の冊子の頁捲り装置である。
【００１６】
請求項１１に示す発明は、請求項１０の冊子の頁捲り装置であって、特に、前記冊子分離手段は、前記冊子収納部の下部または上部に配設され、前記冊子収納部に収納された最下層または最上層に位置する冊子の小口に係合して該冊子を前記冊子載置部側へ押し出す冊子分離ツメを有することを特徴とする請求項１０に記載の冊子の頁捲り装置である。
【００１７】
本発明においては、冊子載置部上に移送された冊子に対して、冊子位置決め兼頁ずらしローラーを冊子が小口から背方向に移動する方向に回転させることで該冊子の背を前記冊子載置部上のストッパに当てて冊子背側基準に位置決めした後、前記冊子位置決め兼頁ずらしローラーを更に同方向に回転させることにより表紙または本文頁を残本文頁より分離させ、さらに、冊子位置決め兼頁ずらしローラに対して上方かつ冊子の背方向に位置した頁捲りローラーを表紙または本文頁が小口から背方向に移動される方向に回転させ、表紙または本文頁を該頁捲りローラーの下方から上方に移行させ、さらに頁開きアームを頁捲りローラーに対して冊子の背方向の位置から冊子背側基準をこえて冊子の背方向に移動させることにより、頁捲りローラーの上方にあった表紙または本文頁は該頁開きアームの上方に移り、かつ連動して冊子載置部上に平面状に展開される。
よって、本発明によれば、冊子の表紙または本文頁を自動的に捲ることができるとともに、煩雑な手作業が不要になり、効率のよい正確な冊子の頁捲りが可能になる。
【００１８】
また本発明においては、表紙または本文頁に隣接する残本文頁が回転中の頁捲りローラーとの接触により捲られることを防止するため、冊子位置決め兼頁ずらしローラーを、冊子が背から小口方向に移動する方向に回転することにより、該頁捲りローラーと非接触状態となり、残頁の誤捲りを防止する事ができる。
また本発明においては、冊子位置決め兼頁ずらしローラーを冊子が背から小口方向に移動する方向に回転させることで、表紙または本文頁を冊子載置部上に平面状に展開する際に、冊子の小口と背を軸とする方向に対して冊子位置決め板に冊子小口を系合させることによって冊子小口側基準にて位置決めすることができる。
【００１９】
また本発明においては、冊子分離ツメが冊子収納部の下部または上部に配設され、前記冊子収納部に収納された最下層または最上層に位置する冊子の小口に係合して該冊子を１冊ずつ分離して冊子載置部側へ押し出すことにより、冊子を１冊ずつ頁捲り手段へ自動的に供給できる。
【００２０】
【発明の実施の形態】
図１〜図６を参照しつつ、本発明の実施の形態について説明する。
図１は本発明にかかる冊子の頁捲り方法および装置の実施の形態を示す全体の構成図、図２〜図７は実施の形態における冊子の頁捲り機構（頁捲り手段）の動作説明図である。
図１において、冊子の頁捲り装置は、冊子収納部１、冊子分離手段２、冊子載置部３、頁捲り手段４を備える。
【００２１】
構成：
冊子収納部１は例えば並製本された冊子５を水平にした状態で収納し得る内形形状を有する有底のマガジン６からなり、このマガジン６内には多数の冊子５がその背５Ａ側を揃えた状態で上下方向に積層して収納されている。
また、このマガジン６内に収納された最下層の冊子５の背５Ａと対向するマガジン６の下端の側部箇所には、最下層の冊子５を一冊ずつ取り出す搬出開口７が形成されている。この冊子搬出口７の高さは冊子５の厚さ寸法より大きく、２冊分の厚さより小さくなっている。
【００２２】
冊子分離手段２は冊子収納部１の下部に配設され、そのマガジン６内に収納された最下層の冊子５を分離して排出開口７から冊子載置部３へ押し出すためのもので、冊子５の小口５Ｂに系合する冊子分離ツメ９を有し、この冊子分離ツメ９は、マガジン６の底部においてマガジン６内の冊子５の小口５Ｂから背５Ａに向け、（図示省略した）駆動手段により往復動可能に設けられている。
【００２３】
冊子載置部３は、冊子５の冊子表紙５Ｃを冊子５の背５Ａを中心にして平面上に展開した時の表面積に相当する大きさの載置板１１を備え、この載置板１１は冊子分離手段２の冊子排出側に水平に配設されている。
【００２４】
また載置板１１の中間部には、この載置板１１上に冊子５の表表紙あるいは裏表紙の一方を下に向け、かつ背５Ａを送り方向に向けた状態で移送されてきた冊子５の背５Ａと系合する事により該冊子５を載置板１１上における冊子背側基準１２に位置決めするストッパ１３が、載置板１１の上面に出没可能かつ上面に突出する方向に付勢されるように設けられている。
【００２５】
また載置板１１の冊子収納部側端にはこの載置板１１上に冊子５の表表紙あるいは裏表紙の一方を下に向け、かつ小口５Ｂを送り方向に向けた状態で移送されてきた冊子５の小口５Ｂと系合する事により該冊子５を載置板１１上における冊子小口側基準１４に位置決めする冊子位置決め板１５が、載置板１１の上面に出没可能かつ上面に突出する方向に付勢されるように設けられている。
【００２６】
頁捲り手段４は、冊子載置部３上に搬入載置された冊子５の背５Ａをストッパ１３に押し当てて位置決めし、該冊子５の表表紙あるいは裏表紙、または本文頁を枚葉毎に捲って冊子載置部３上に平面状に展開し、かつ冊子５を載置板１１上における冊子小口側基準１４に位置決めするもので、冊子５の背５Ａに平行で、かつ冊子載置部３上の冊子５に対して離接する方向に揺動可能に支持された正逆回転駆動可能な冊子位置決め兼頁ずらしローラー１６と、該冊子位置決め兼頁ずらしローラー１６に平行でかつ冊子５のせ５Ａ方向に位置し、さらに冊子載置部３上の冊子５に接触しないよう該冊子５の上方に位置し、回転駆動可能な頁捲りローラー１７と、頁捲りローラー１７とストッパー１３を弧内に配置する円弧状の軌跡１８を持つような揺動運動可能に支持された正逆回転駆動可能な頁開きアーム１９と、前記冊子位置決め兼頁ずらしローラー１６および前記頁捲りローラー１７を予め決めた動作パターンに従って動作させる（図示省略した）ローラー駆動手段と、前記頁開きアーム１９を予め決めた動作パターンに従って動作させる（図示省略した）アーム駆動手段を備える。前記冊子位置決め兼頁ずらしローラー１６および前記頁捲りローラー１７の少なくとも各々の表面はゴム等のような紙に対して摩擦抵抗の大きな部材で形成されている。
【００２７】
動作：
次に上記のように構成された実施の形態の動作について説明する。
冊子収納部１のマガジン６内に冊子５が図１に示す姿勢に収納されている状態において、冊子分離手段２の冊子分離ツメ９が（図示省略の）駆動手段により図２の矢印Ａ方向に前進されることで破線に示す位置から実線に示す位置に移動すると、この冊子分離ツメ９に係合する最下層の冊子５は搬出開口７から冊子載置部３へ押し出され、その背５Ａ側が矢印方向に回転する冊子位置決め兼頁捲りローラー１６と該ローラーと、冊子厚み方向で少なくとも冊子５の一冊分の距離を置いた下方に対向するアイドルローラー２２の間に挿入される。これに伴い、冊子５は回転する冊子位置決め兼頁捲りローラー１６により冊子載置部３の載置板１１上に送り出される。
【００２８】
また、冊子分離手段２が最下層の冊子５を分離して冊子載置部３側へ押し出した後は、冊子分離ツメ９は図２の破線に示す位置に後退し、次の冊子５の分離押し出しに待機する。この時、マガジン６内に収納された積層冊子５は降下し、最下層の冊子５の小口５Ｂが冊子分離ツメ９に係合された状態におかれる。
【００２９】
一方、冊子５が回転する冊子位置決め兼頁捲りローラー１６により冊子載置部３の載置板１１上に送り出されると、冊子５の背５Ａが冊子載置部上に存在するストッパー１３に系合し冊子背側基準１２の位置で位置決めされる。
冊子停止手段は前記ローラー駆動手段を動作開始からの時間を予め決めて回転、停止の制御をさせても良いし、また例えば図示しないが載置板１１上に冊子５の位置を検知するセンサ等を設けてここから出る信号で該ローラー駆動手段を制御をさせても良い。
【００３０】
また、前記冊子５は搬出開口７から冊子載置部３へ押し出され、その背５Ａ側が矢印方向に回転する冊子位置決め兼頁捲りローラー１６と冊子厚み方向に対向するアイドルローラー２２間に挿入される直前に、冊子５の背５Ａは、載置板１１の冊子収納部側端かつ冊子位置決め兼頁ずらしローラー１６の冊子収納部側直前に位置し、載置板１１の上面に出没可能かつ上面に突出する方向に付勢された冊子位置決め板１５と、該冊子位置決め板１５のフック１５Ａの上部先端から冊子５の一冊分の厚み量未満の距離をおいた上方に位置するガイドローラー２３の間に挿入される。この状態を図２に記す。
【００３１】
このとき載置板１１上面に突出する方向に付勢された該冊子位置決め板１５は挿入された冊子５の厚さによって一時載置板１１の上面より下へ待避するが、上記記載の冊子背側基準位置決めが完了すると冊子５の小口５Ｂが冊子位置決め板１５のフック１５Ａからはずれ、該冊子位置決め板１５は図示破線位置から再び載置板１１の上面に出没する。この状態を図３に記す。
【００３２】
次に、載置板１１上にセットされた冊子５の表紙または本文頁を捲る場合の頁捲り手段４の動作について述べる。
まず冊子位置決め兼頁ずらしローラー１６を図１において反時計方向に回転させ、該冊子位置決め兼頁ずらしローラー１６表面に接する冊子表紙５Ｃが、図４に示すようにアーチ状に変形されながら捲られた後、頁捲りローラー１７の表面に接触し、表紙の剛性により該頁捲りローラー１７へ押しつけられる。
かかる状態で、前記頁捲りローラー１７を反時計回りに回転させ、冊子表紙５Ｃはその裏面が該頁捲りローラー１７の表面と接触する位置まで捲られ、つまりは図５に示すように冊子５の冊子表紙５Ｃは該頁捲りローラー１７の上方へ移行され、しかるのち、頁捲りローラー１７は停止する。
【００３３】
一方、図４に示すように、冊子５の本文最上頁５Ｄは、冊子表紙５Ｃが前記冊子位置決め兼頁ずらしローラー１６と対向するアイドルローラー２２の間を通過した後、該冊子位置決め兼頁ずらしローラー１６の表面と接触し前記冊子表紙５Ｃと同様にアーチ上に変形し、該冊子表紙５Ｃが該頁捲りローラー１７の上方へ移行された後、本来捲るべきでないはずであるにもかかわらず、捲る対象になってしまうが、これを防止するため、該冊子位置決め兼頁ずらしローラー１６を時計回りに回転させ、冊子５の本文最上頁５Ｄを元の位置に戻す。
【００３４】
さらにこの状態で該冊子位置決め兼頁ずらしローラー１６の時計回りの回転を停止することなく回すことによって、冊子５の小口５Ｂを冊子載置部３上の冊子位置決め板１５のフック１５Ａに系合させることにより、冊子５を冊子小口側基準１４で位置決めする。この状態で該冊子位置決め兼頁ずらしローラー１６を停止させ。冊子位置決め状態を保持する。この状態を図５に記す。
【００３５】
この後、頁開きアーム１９は図示しないアーム駆動手段により時計回りの回転をし、前記頁捲りローラー１７上方の冊子表紙５Ｃは冊子５の背５Ａを中心にして冊子５のセット側と反対側に傾倒され、載置板１１上に平面上に展開される。なお、冊子表紙５Ｃが平面状に展開されるとストッパ１３はその付勢された力に抗して載置板１１の下部に埋没される。また展開終了後、アーム駆動手段は停止し、展開された冊子表紙５Ｃは載置板１１上に保持される。この状態を図６に示す。
【００３６】
さらに、本文最上頁５Ｄに対しても頁捲りを継続する場合は、上述した動作を繰り返すことにより可能になる。また、印刷は平面状に展開された表紙または本文頁、あるいは冊子１側の表面に位置する本文頁
に対して行われる。
【００３７】
上記のような本発明の実施の形態によれば、冊子載置部３上に移送された冊子５の背５Ａをストッパー１３に系合させた後、冊子位置決め兼頁ずらしローラー１６を表紙または本文頁が小口から背方向に移動される方向（反時計回り）に回転させ、かつ頁捲りローラー１７を該冊子位置決め兼頁ずらしローラー１６と同方向に回転させ、かつ頁捲りアーム１９を該頁ずらしローラー１６の上部を経由して載置板１１方向へ回転させる事により、冊子表紙５Ｃまたは本文最上頁５Ｄは冊子５の背５Ａを中心にして冊子５のセット側と反対側に傾倒され、載置板１１上に平面上に展開する構成にしたので、冊子の頁が自動的に捲ることができるとともに、従来のような煩雑な手作業が不要になり、効率の良い正確な冊子の頁捲りが可能になる。
【００３８】
また上記のような本発明の実施の形態によれば、冊子５の冊子表紙５Ｃが該頁捲りローラー１７の上方へ移行される時、該冊子位置決め兼頁ずらしローラー１６を、冊子５の表紙または本文頁が背５Ａから小口５Ｂ方向に移動される方向（時計回り）に回転させ、冊子５の本文最上頁５Ｄを元の位置に戻すため、該頁捲りローラー１７の表面と非接触状態となり、残頁の誤捲りを防止する事ができる。
【００３９】
また上記のような本発明の実施の形態によれば、冊子５の冊子表紙５Ｃが該頁捲りロー
ラー１７の上方へ移行され、該冊子位置決め兼頁ずらしローラー１６を、冊子５の表紙または本文頁が背５Ａから小口５Ｂ方向に移動可能な方向（時計回り）に回転させ、冊子５の本文最上頁５Ｄを元の位置に戻す時、該冊子位置決め兼頁ずらしローラー１６の回転を停止することなく回すことによって、冊子５の小口５Ｂを冊子載置部３上の冊子位置決め板１５のフック１５Ａに系合させることにより、冊子表紙５Ｃまたは本文最上頁５Ｄを冊子載置部３上に平面状に展開する際に、冊子５の小口５Ｂと背５Ａを軸とする方向に対して、冊子小口側基準１４にて位置決めすることができる。
【００４０】
また上記のような本発明の実施の形態によれば、冊子５を冊子収納部１内に、冊子５の背５Ａ側が揃えられた水平状態で上下方向に積層して収納し、この冊子収納部１に収納された最下層に位置する冊子５を冊子分離手段２により１冊ずつ分離して冊子載置部４０上へ搬入する構成にしたので、冊子５を１冊ずつ確実に頁捲り手段４に自動的に供給することができる。
【００４１】
【発明の効果】
すなわち本発明によれば、冊子載置部上に移送された冊子に対して、冊子位置決め兼頁ずらしローラーを、冊子の表紙または本文頁が小口から背方向に移動可能な方向（反時計回り）に回転させることで該冊子の背を前記冊子載置部上のストッパに当てて冊子背側基準に位置決めした後、前記冊子位置決め兼頁ずらしローラーを更に同方向に回転させることにより表紙または本文頁を残本文頁より分離させ、さらに、冊子位置決め兼頁ずらしローラに対して上方かつ冊子の背方向に位置した頁捲りローラーを、表紙または本文頁が小口から背方向に移動可能な方向（反時計回り）に回転させ、表紙または本文頁を該頁捲りローラーの下方から上方に移行させ、さらに頁開きアームを頁捲りローラーに対して冊子の背方向の位置から冊子背側基準をこえて冊子の背方向に移動させることにより、頁捲りローラーの上方にあった表紙または本文頁は該頁開きアームの上方に移り、かつ連動して冊子載置部上に平面状に展開されるようにしたので、冊子の表紙または本文頁を自動的に捲ることができるとともに、煩雑な手作業が不要になり、効率のよい正確な冊子の頁捲りが可能になる。
【００４２】
また本発明によれば、表紙または本文頁に隣接する残本文頁が回転中の頁捲りローラーとの接触により捲られることを防止するため、冊子位置決め兼頁ずらしローラーを、冊子の表紙または本文頁が小口から背方向に移動可能な方向（時計回り）に回転させたため、該頁捲りローラーと非接触状態となり、残頁の誤捲りを防止する事ができる。また本発明によれば、冊子位置決め兼頁ずらしローラーを、冊子の表紙または本文頁を小口から背方向に移動可能な方向（時計回り）に回転させため、表紙または本文頁を冊子載置部上に平面状に展開する際に、冊子の小口を冊子位置決め板に冊子小口を系合させることによって冊子小口側基準にて位置決めすることができる。
【００４３】
また本発明によれば、冊子分離ツメを冊子収納部の下部または上部に配設し、前記冊子収納部に収納された最下層または最上層に位置する冊子の小口に係合して該冊子を１冊ずつ分離して冊子載置部側へ押し出すようにしたので、冊子を１冊ずつ頁捲り手段へ自動的に供給できる。
【００４４】
総じて、本発明により、冊子載置部にセットされた冊子の表紙または本文頁の捲りを自動化することにより、煩雑な手作業をなくし、効率のよい正確な冊子の頁捲りを可能にした冊子の頁捲り方法及び頁捲り装置を提供することが出来た。
【図面の簡単な説明】
【図１】本発明にかかる冊子の頁捲り方法および装置の実施の形態を示す全体の構成図である。
【図２】本発明の冊子の頁捲り機構（頁捲り手段）に関わる一例について、その一連の動作の概要を示す説明図である。（図２〜図６）
【図３】本発明の冊子の頁捲り機構（頁捲り手段）に関わる一例について、その一連の動作の概要を示す説明図である。（図２〜図６）
【図４】本発明の冊子の頁捲り機構（頁捲り手段）に関わる一例について、その一連の動作の概要を示す説明図である。（図２〜図６）
【図５】本発明の冊子の頁捲り機構（頁捲り手段）に関わる一例について、その一連の動作の概要を示す説明図である。（図２〜図６）
【図６】本発明の冊子の頁捲り機構（頁捲り手段）に関わる一例について、その一連の動作の概要を示す説明図である。（図２〜図６）
【符号の説明】
１・・・・冊子収納部
２・・・・冊子分離手段
３・・・・冊子載置部
４・・・・頁捲り手段
５・・・・冊子
５Ａ・・・背
５Ｂ・・・小口
５Ｃ・・・冊子表紙
５Ｄ・・・本文最上頁
６・・・・マガジン
７・・・・搬出開口
９・・・・冊子分離ツメ
１１・・・載置板
１２・・・冊子背側基準
１３・・・ストッパ
１４・・・冊子小口側基準
１５・・・冊子位置決め板
１５Ａ・・フック
１６・・・冊子位置決め兼頁ずらしローラー
１７・・・頁捲りローラー
１８・・・軌跡
１９・・・頁開きアーム
２２・・・アイドルローラー
２３・・・ガイドローラー
【図１】
0004172056.tif 000002
【図２】
0004172056.tif 000003
【図３】
0004172056.tif 000004
【図４】
0004172056.tif 000005
【図５】
0004172056.tif 000006
【図６】
0004172056.tif 000007